(57)【要約】【課題】制御基盤等のメンテナンス等を、筺体を前方に引出すことなく容易に行い得るようにする。【解決手段】操作パネル７を、筺体１３の前面に着脱可能に装着するとともに、筺体１３内に収容した制御基盤２０を、ガイド手段２２、２５により前後方向に移動可能に支持し、筺体１３の所定位置から、その前面に設けた開口部２１を挿通して前方に引出し可能とする。【選択図】  図２
2004285602.tif 000002
【特許請求の範囲】
【請求項１】
電動施解錠手段に連係された電子錠を有する什器群の少なくとも１台の側部に並設され、前記什器群の電子錠を施解錠制御する制御基盤を内部に有する筺体と、その前面に装着され、前記什器群の施解錠を集中制御可能な操作部を有する操作パネルとからなる什器群の施解錠集中制御ボックスにおいて、
前記操作パネルを、前記筺体の前面に着脱可能に装着するとともに、前記制御基盤を、ガイド手段により前後方向に移動可能に支持することにより、筺体内の所定位置から、その前面に設けた開口部を挿通して前方に引出し可能としたことを特徴とする什器群の施解錠集中制御ボックス。
【請求項２】
筺体の前面の左右いずれか一方の側端部に、遊端部が外向きＬ字状に折曲された複数の係止金具を取付け、この係止金具と筺体の前面との間に、操作パネルの側端に形成した、後方かつ内向きの折曲部を挿入するとともに、操作パネルの上下の端部をボルトにより筺体の前面に固定した請求項１に記載の什器群の施解錠集中制御ボックス。
【請求項３】
操作パネルの前面の適所に、キー操作により筺体の前面に設けた係止部と係脱可能な施錠装置を設けた請求項１または２に記載の什器群の施解錠集中制御ボックス。
【請求項４】
ガイド手段が、制御基盤の上下部に前後方向を向いて形成されたガイド溝と、筺体の側板の内側面に突設された、前記ガイド溝に摺動可能に嵌合する拡径頭部を備える段付軸とからなるものである請求項１ないし３のいずれかに記載の什器群の施解錠集中制御ボックス。
【請求項５】
ガイド溝の後端部を、段付軸の拡径頭部が挿通可能な拡径部とした請求項４に記載の什器群の施解錠集中制御ボックス。
【請求項６】
筺体の什器群側に面する側面に、什器群側からねじにより固定可能な複数のねじ孔を設けた請求項１ないし５のいずれかに記載の什器群の施解錠集中制御ボックス。
【請求項７】
筺体の什器群側に面する下端部に、筺体の前面に形成した配線の挿通孔と連通するとともに、什器群側が開口する開口部を設けた請求項１ないし６のいずれかに記載の什器群の施解錠集中制御ボックス。
【発明の詳細な説明】
【０００１】
【発明の属する技術分野】
本発明は、電子錠を備える複数のキャビネット等の什器群の施解錠を、集中的に制御し管理するようにした集中制御ボックスに関する。
【０００２】
【従来の技術】
電子錠を備える複数のキャビネットを、互いの側面を当接させて配置し、最側方のキャビネットの側部に設けた集中制御ボックスにより、各キャビネットの施解錠を、集中的に制御し管理するようにしたユニット収納システムが知られている（例えば特許文献１参照）。
【０００３】
【特許文献１】
特許第２９０６２８３号公報（第１図）
【０００４】
【発明が解決しようとする課題】
上記特許文献１に記載されている従来の集中制御ボックスは、操作部を有する前面のパネルを片開き扉としているため、内部に設けた制御基盤のメンテナンス等は比較的容易である。
しかし、制御基盤が筺体の奥部に収容され、かつ交換等のために全体を取外す必要が生じた際には、前方よりドライバ等の工具を挿入し、手さぐり状態で基盤固定用のねじを取外さなければならないため、作業性が悪く、また開いた前面のパネルが邪魔になることがある。
【０００５】
この問題を解消するには、集中制御ボックス全体を前方に引き出してメンテナンス作業を行うことも考えられるが、集中制御ボックスが大型で重量がある場合には、前方への引き出しも困難である。特に、集中制御ボックスの側面が壁面と当接又は近接して設置されている際には、手や体の入るスペースがないため、その前方への引き出しは一層困難となる。
【０００６】
この問題に対処するために、集中制御ボックスを、メンテナンスに必要な寸法だけ、予め壁面より離間させて設置すると、それらの間にデッドスペースが形成されるだけでなく、地震等によりぐら付き、壁面側に倒れる恐れがある。
【０００７】
本発明は、上記問題点を解決するためになされたもので、制御基盤のメンテナンス等を、筺体を前方に引き出すことなく容易に行うことができ、かつ壁面との間にデッドスペースが形成されるのを防止し得るようにした什器群の施解錠集中制御ボックスを提供することを目的としている。
【０００８】
【課題を解決するための手段】
上記課題を達成するために、本発明の什器群の施解錠集中制御ボックスは、電動施解錠手段に連係された電子錠を有する什器群の少なくとも１台の側部に並設され、前記什器群の電子錠を施解錠制御する制御基盤を内部に有する筺体と、その前面に装着され、前記什器群の施解錠を集中制御可能な操作部を有する操作パネルとからなる什器群の施解錠集中制御ボックスにおいて、
前記操作パネルを、前記筺体の前面に着脱可能に装着するとともに、前記制御基盤を、ガイド手段により前後方向に移動可能に支持することにより、筺体内の所定位置から、その前面に設けた開口部を挿通して前方に引出し可能としたことを特徴としている。
上記構成の本発明によれば、操作パネルを取外して制御基盤を筺体内より前方に引出すことにより、そのメンテナンス等を容易に行うことができるので、筺体を前方に引出す必要はない。
【０００９】
上記制御ボックスにおいて、筺体の前面の左右いずれか一方の側端部に、遊端部が外向きＬ字状に折曲された複数の係止金具を取付け、この係止金具と筺体の前面との間に、操作パネルの側端に形成した、後方かつ内向きの折曲部を挿入するとともに、操作パネルの上下の端部をボルトにより筺体の前面に固定するのが好ましい。
このようにすると、筺体及び操作パネルの上下寸法が長寸であっても、操作パネルの取付けが容易となるとともに、最小限の数のボルトにより操作パネルを安定的に取付けることができる。
【００１０】
上記制御ボックスにおいて、操作パネルの前面の適所に、キー操作により筺体の前面に設けた係止部と係脱可能な施錠装置を設けるのが好ましい。
このようにすると、たとえボルトが緩められたとしても、施錠装置のロックを解除しない限り、操作パネルを取外すことができないので、セキュリティ効果が大となる。
【００１１】
上記制御ボックスにおいて、ガイド手段が、制御基盤の上下部に前後方向を向いて形成されたガイド溝と、筺体の側板の内側面に突設された、前記ガイド溝に摺動可能に嵌合する拡径頭部を備える段付軸とからなるものであるのが好ましい。
このようにすると、ガイド手段の部品点数が少なく、かつ簡単な構成であるため、安価となる。
【００１２】
上記制御ボックスにおいて、ガイド溝の後端部を、段付軸の拡径頭部が挿通可能な拡径部とするのが好ましい。
このようにすると、制御基盤のガイド溝を段付軸に容易に嵌合し得るとともに、最前方に引出せば制御基盤を取外すことができる。
【００１３】
上記制御ボックスにおいて、筺体の什器群側に面する側面に、什器群側からねじにより固定可能な複数のねじ孔を設けるのが好ましい。
このようにすると、筺体を什器群に固定し得るので、筺体を壁面等に近接又は当接させて設置できない場合でも、転倒を防止することができる。
【００１４】
上記制御ボックスにおいて、筺体の什器群側に面する下端部に、筺体の前面に形成した配線の挿通孔と連通するとともに、什器群側が開口する開口部を設けるのが好ましい。
このようにすると、操作パネルの電気部品や制御基盤に接続したコード類を、什器群側に容易に配線することができる。
【００１５】
【発明の実施形態】
以下、本発明の実施形態を図面に基づいて説明する。
【００１６】
図１は、ユニット収納システムの外観図を示すもので、互いの側面同士を当接させて設置された複数（実施形態では３個）のキャビネット１と、その最左方のキャビネット１の左側方に、その側面に当接させるとともに、壁面Ｗに近接させて設置された本発明の施解錠集中制御ボックス（以下、制御ボックスと略称する）２とからなっている。
【００１７】
各キャビネット１の前面には、両開き式の扉３，３が取付けられ、右方の扉３には、制御ボックス２より発信される施解錠信号により、図示しないモータ等により施解錠機構を作動させて施解錠制御しうるとともに、手動によるキー操作により施解錠可能なキー操作部を有する電子錠４と、施解時に点灯する表示ランプ５が設けられている。
【００１８】
制御ボックス２は、左右幅が狭幅なボックス本体６と、その前面に取付けられた操作パネル７とを備え、操作パネル７の前面に取付けられた操作盤８には、各キャビネット１を一括して施解錠する全施解錠押釦スイッチ９と、全施錠表示ランプ１０が設けられている。また、操作パネル７の下端部前面には、電源キースイッチ１１と、電源表示ランプ１２とが設けられている。
【００１９】
図２に示すように、制御ボックス２のボックス本体６は、右側面が開口された筺体１３の前面板１３ａと後面板１３ｂの内面に、平面視コ字状をなす縦長の補強部材１４，１５を固着するとともに、両補強部材１４，１５間における側面板１３Ｃの内面に、正面視ほぼコ字状断面の前後方向を向く複数の補強杆１６を固着して形成されている。
【００２０】
前側の補強部材１４は、筺体１３の上下寸法より若干短寸とされ、その下端と筺体１３の底板１３ｄとの間には、前面板１３ａの下端部に形成されたコード類Ｃの挿通孔１７と連通するとともに、右側面が開口する、コード類Ｃの引出し用開口部１８が形成されている。
【００２１】
前後の補強部材１４，１５の右側面には、複数の取付孔１９が穿設され、その裏面にはナット（図示略）が溶接により固着されている。最左方のキャビネット１の側板の内方より挿入したボルト（図示略）を、上記取付孔１９を挿通して裏面のナットに螺合することにより、ボックス本体６をキャビネット１に固定することができる。
【００２２】
筺体１３の前面板１３ａの上下方向のほぼ中央部には、各キャビネット１の電子錠４を制御する制御基盤２０を引出し、メンテナンス等を行うための縦長矩形状の引出し孔２１が形成されている。また、制御基盤２０は、上記中央の２本の補強杆１６に、次のようにして取付けられている。
【００２３】
図３及び図４に拡大して示すように、上下寸法を若干大とした上方の補強杆１６の前端部の下端寄りと、下方の補強杆１６の前端部のほぼ中央には、図４に示すような、拡径頭部２２ａを有する段付ボルト２２が、両補強杆１６の裏面に溶接により固着されたナット２３に螺合することにより、拡径軸部２２ｂを側方に突出させて取付けられている。また、上方の補強杆１６の後端部の上端寄りには、上記と同様のストッパ用の段付ボルト２２が、上記と同様のナット（図示略）に螺合されて取付けられている。
【００２４】
一方、上記制御基盤２０の上下の端部には、前後方向を向いて互いに平行をなすとともに、前端部が若干上方を向き、かつ後端に、上記段付ボルト２２の拡径頭部２２ａが挿通可能な拡径部２４を有するガイド溝２５，２５が形成されている。ガイド溝２５の溝幅は、段付ボルト２２の拡径軸部２２ｂに摺動可能に嵌合される寸法とされている。
【００２５】
両ガイド溝２５の後端部の上縁には、上向き円弧上に凹入する停止溝２６，２６が設けられている。また、制御基盤２０の後端部の上面に連設された上向きの突片２０ａには、後端が開口する前向Ｕ字状のストッパ溝２７が形成されている。２８は、指掛け用の円孔である。
【００２６】
制御基盤２０を取付ける際は、これを、筺体１３の前面板１３ａの前方より、それに形成された引出し孔２１に挿入し、上下のガイド溝２５の後端の拡径部２４を、上下の補強杆１６における前端部の段付ボルト２２の拡径頭部２２ａに、これが外方に突出するまで挿入したのち、制御基盤２０全体を押し込む。
【００２７】
すると、制御基盤２０は、そのガイド溝２５に沿って上下の段付ボルト２２の拡径軸部２２ｂが相対的に前方に移動することにより、後方に円滑に移動し、後端のストッパ溝２７が、ストッパ用の段付ボルト２２の拡径軸部２２ｂに嵌合して停止する。
【００２８】
制御基盤２０を後限の所定位置まで押し入れると、上下の段付ボルト２２の拡径軸部２２ｂが、ガイド溝２５の前端部の上向き部内に位置することにより、妄りに前方に移動することはない。
【００２９】
メンテナンス等のために、制御基盤２０を前方に引き出す際は、図３の実線で示す位置において、前端部を若干持ち上げたのち、２点鎖線で示すように、上下のガイド溝２５のストッパ溝２６が段付ボルト２２に嵌合するまで前方に引き出せばよい。
【００３０】
次に、ボックス本体６への操作パネル７の取付構造について説明する。
【００３１】
ボックス本体６における筺体１３の前面板１３ａの左端部には、図３及び図５に示すように、遊端部が外向きＬ字状に折曲された平面視クランク状をなす複数（４個）の係止金具２９の内方を向く基片２９ａが、溶接により固着されている。
【００３２】
操作パネル７の上下左右の端縁には、後方かつ内向きに、平面視ほぼ前向きコ字状をなすように折曲された折曲片３０が形成されている。
【００３３】
操作パネル７を前面板１３ａに取付けるには、左方の折曲片３０を、左側方より各係止金具２９の遊端部と前面板１３ａ間に挿入して係止保持したのち、操作パネル７の上下の端部中央に穿設した取付孔３１，３１に、前方よりボルト３２を挿入し、両ボルト３２を、前面板１３ａの上下両端部に形成したねじ孔３３，３３に螺合すればよい。
【００３４】
従って、制御基盤２０にメンテナンスを施す際は、ボルト３２を緩めて操作パネル７を取外すことにより、制御ボックス２を前方に引出したりすることなく、容易に行うことができ、しかも壁面Ｗと制御ボックス２との間に、引出し作業を行うための隙間を設けておく必要がないので、デッドスペースが形成されることもない。
【００３５】
図６は、本発明の変形例を示すもので、操作パネル７の上端部に、前面にキーの挿し込み部を有するシリンダ錠等の施錠装置３４を取付け、その操作パネル７の内部の回転軸に固着された下向鉤状の係止フック３５の先端部を、筺体１３の前面板１３ａの前面に固着したロック金具３６の係止孔（図示略）に、キー操作により係脱可能に係合させるようにしたものである。
【００３６】
このような施錠装置３４を設けると、たとえ上記ボルト３２を緩めても、操作パネル７を取外すことはできないので、セキュリティ効果が大となる。
【００３７】
なお、このような施錠装置３４を設けた際は、操作パネル７の下端部の裏面中央に、図７に示すような、後端が下向きに折曲された係止金具３７を固着し、この係止金具３７を、前面板１３ａの下端部中央に形成した方形の係合孔３８に挿入して係合させるようにしてもよい。
【００３８】
このようにすると、上記上下のボルト３２を用いなくても、キーの操作のみで、操作パネル７を着脱可能にボックス本体６に取付けることができるので、セキュリティ効果がより高まる。
【００３９】
本発明は、上記実施形態に限定されるものではなく、種々の形態をとり得る。
【００４０】
上記実施形態では、制御基盤２０に上下１対のガイド溝２５を設け、それらを、互いに隣接する上下の補強杆１６に突設した段付ボルト２２に摺動可能に嵌合することにより、制御基盤２０を前方に引出してメンテナンス等を行い得るようにしているが、上記のようなガイド溝２５と段付ボルト２２とのガイド手段の代わりに、図８に示すようなガイド形態としてもよい。
【００４１】
すなわち、上下に隣接する補強杆１６に、正面視ほぼ下向コ字状と上向コ字状のガイド部材３９，３９を対向状に固着し、それらのコ字状空間部内に、制御基盤２０の上下の端部を、前後方向に摺動可能に嵌合する。そして、両ガイド部材３９の後端には、制御基盤２０を後限で停止するストッパ（図示略）を設けておけばよい。
【００４２】
また、下方のガイド部材３９の前端部に係止孔（図示略）を設け、この係止孔に、制御基盤２０の前端部下面に突設した突起等を嵌合し得るようにしておけば、制御基盤２０が定位置から前後に移動するのを防止することができる。
【００４３】
制御ボックス６の上下寸法が比較的短かいときは、前面板１３ａに設けた係止金具２９を省略し、ボルト３２のみで操作パネル７を取付けてもよい。
【００４４】
前面板１３ａを縦長の枠状として、内方を開放すれば、コード類Ｃの挿通孔１７や引出し孔２１は不要となる。
【００４５】
【発明の効果】
本発明によれば、次のような効果を奏することができる。
【００４６】
（ａ）請求項１に記載の発明によれば、操作パネルを取外して制御基盤を筺体内より前方に引出すことにより、そのメンテナンス等を容易に行うことができるので、制御ボックス全体を前方に引出す必要はない。
また、壁面との間に引出し作業用のスペースを設けておく必要がないので、デッドスペースが形成されることもない。
【００４７】
（ｂ）請求項２に記載の発明によれば、筺体及び操作パネルの上下寸法が長寸であっても、操作パネルを容易に位置決めして取付けることができ、かつ最小限の数のボルトにより操作パネルを安定的に取付けることができる。
【００４８】
（ｃ）請求項３に記載の発明によれば、たとえボルトが緩められたとしても、施錠装置のロックを解除しない限り、操作パネルを取外すことはできないので、セキュリティ効果が大となる。
【００４９】
（ｄ）請求項４に記載の発明によれば、ガイド手段を構成する部品点数が少なく、構成も簡単であるため、コストが低減する。
【００５０】
（ｅ）請求項５に記載の発明によれば、段付軸を筺体に取付けた状態のままで、制御基盤のガイド溝を段付軸に容易嵌合したり、取外したりすることができる。
【００５１】
（ｆ）請求項６に記載の発明によれば、筺体を什器群に固定し得るので、筺体を壁面に密着させて設置できなくても、転倒したりすることはない。
【００５２】
（ｇ）請求項７に記載の発明によれば、操作パネルに取付けた電気部品や制御基盤に接続されたコード類を、什器群側に容易に配線することができる。
【図面の簡単な説明】
【図１】本発明の制御ボックスを備えるユニット収納システムの外観図である。
【図２】制御ボックスの分解斜視図である。
【図３】制御基盤とその取付部材の拡大側面図である。
【図４】図３のＩＶ−ＩＶ線に沿う拡大縦断後面図である。
【図５】筺体前部と操作パネルとの係止金具取付部の横断平面図である。
【図６】操作パネルに施錠装置を設けた変形例を示す横断平面図である。
【図７】操作パネル下端部の前面板への他の取付例を示す斜視図である。
【図８】制御基盤のガイド手段の変形例を示す縦断正面図である。
【符号の説明】
１                キャビネット
２                制御ボックス
３                扉
４                電子錠
５                表示ランプ
６                ボックス本体
７                操作パネル
８                操作盤
９                押釦スイッチ
１０              表示ランプ
１１              電源キースイッチ
１２              電源表示ランプ
１３              筺体
１３ａ            前面板
１３ｂ            後面板
１３ｃ            側面板
１３ｄ            底板
１４，１５        補強部材
１６              補強杆
１７              挿通孔
１８              開口部
１９              取付孔
２０              制御基盤
２０ａ            突片
２１              引出し孔（開口部）
２２              段付ボルト（段付軸）
２２ａ            拡径頭部
２２ｂ            拡径軸部
２３              ナット
２４              拡径部
２５              ガイド溝
２６              停止溝
２７              ストッパ溝
２８              円孔
２９              係止金具
２９ａ            基片
３０              折曲片
３１              取付孔
３２              ボルト
３３              ねじ孔
３４              施錠装置
３５              係止フック
３６              ロック金具
３７              係止金具
３８              係合孔
３９              ガイド部材
Ｃ                コード類
Ｗ                壁面
【図１】
2004285602.tif 000003
【図２】
2004285602.tif 000004
【図３】
2004285602.tif 000005
【図４】
2004285602.tif 000006
【図５】
2004285602.tif 000007
【図６】
2004285602.tif 000008
【図７】
2004285602.tif 000009
【図８】
2004285602.tif 000010